(57)【特許請求の範囲】
【請求項１】
多孔性の表面シートと、不透液性の裏面シートと、前記表面シートと前記裏面シートとの間に腹側部から背側部にかけて介装されて体液を吸収する吸収体とが備えられ、前記腹側部と前記背側部の間に設けられる股下部における前記吸収体の幅方向両端側に、前記腹側部から前記背側部にかけてギャザーシートが備えられる吸収性物品において、
前記ギャザーシートの基端部側は前記裏面シートに固着されて、その先端部側が前記吸収体の幅方向の端部から立設されるとともに、前記表面シートの両端部が前記吸収体の幅方向の内側から立設されて前記ギャザーシートの先端側に固着されることによって、前記吸収体の表面と、前記ギャザーシートと、前記表面シートとによって囲まれる空間部が形成されており、
前記吸収体は、その幅方向の左右両端部分と中央部分とが分離された形状の吸収体本体をクレープ紙で覆ってなり、
前記吸収体における前記空間部側の面には、前記吸収体本体が分離された部分における前記クレープ紙が当該吸収体の厚み方向に窪んでなり当該吸収体の長手方向に沿う凹部が形成されていることを特徴とする吸収性物品。
【請求項２】
前記ギャザーシートの前記空間部側の面には、不透液性フィルム材が備えられており、
前記ギャザーシートは前記不透液性フィルム材を介して前記裏面シートに固着されていることを特徴とする請求項１に記載の吸収性物品。
【請求項３】
前記ギャザーシートにおける前記不透液性フィルム材の先端部は、前記表面シートの両端部より、前記吸収体表面から離間した位置に配置されることを特徴とする請求項２に記載の吸収性物品。
【発明の詳細な説明】
【技術分野】
【０００１】
本発明は、使い捨て紙おむつ等の吸収性物品に関する。
【背景技術】
【０００２】
従来、使い捨て紙おむつ等に代表される吸収性物品は、透液性の表面シートと、不透液性の裏面シートと、前記表面シートと前記裏面シートとの間に腹側部から背側部にかけて介装される吸収体とを有する。更に、吸収性物品には、体液の漏れを防止するため、吸収体の左右両端に長手方向に沿って延在する不透液性のギャザーシートからなる立体ギャザーが設けられたものがあり、そのような立体ギャザーを有する使い捨て紙おむつが知られている（例えば、特許文献１参照。）。
【特許文献１】特開２００４−２４３０８号公報
【発明の開示】
【発明が解決しようとする課題】
【０００３】
しかしながら、上記特許文献１の場合、使い捨て紙おむつ内に多量の軟便が排泄された際に、軟便の重さや勢いなどによって立体ギャザーが外側に倒れるなどし、軟便が漏れてしまうことがあるという問題があった。
【０００４】
本発明の目的は、体液、特に軟便の漏れを低減することができる吸収性物品を提供することである。
【課題を解決するための手段】
【０００５】
以上の課題を解決するため、請求項１に記載の発明は、
多孔性の表面シートと、不透液性の裏面シートと、前記表面シートと前記裏面シートとの間に腹側部から背側部にかけて介装されて体液を吸収する吸収体とが備えられ、前記腹側部と前記背側部の間に設けられる股下部における前記吸収体の幅方向両端側に、前記腹側部から前記背側部にかけてギャザーシートが備えられる吸収性物品において、
前記ギャザーシートの基端部側は前記裏面シートに固着されて、その先端部側が前記吸収体の幅方向の端部から立設されるとともに、前記表面シートの両端部が前記吸収体の幅方向の内側から立設されて前記ギャザーシートの先端側に固着されることによって、前記吸収体の表面と、前記ギャザーシートと、前記表面シートとによって囲まれる空間部が形成されており、
前記吸収体は、その幅方向の左右両端部分と中央部分とが分離された形状の吸収体本体をクレープ紙で覆ってなり、
前記吸収体における前記空間部側の面には、前記吸収体本体が分離された部分における前記クレープ紙が当該吸収体の厚み方向に窪んでなり当該吸収体の長手方向に沿う凹部が形成されていることを特徴とする。
【０００６】
請求項２に記載の発明は、請求項１に記載の吸収性物品において、
前記ギャザーシートの前記空間部側の面には、不透液性フィルム材が備えられており、
前記ギャザーシートは前記不透液性フィルム材を介して前記裏面シートに固着されていることを特徴とする。
【０００７】
請求項３に記載の発明は、請求項２に記載の吸収性物品において、
前記ギャザーシートにおける前記不透液性フィルム材の先端部は、前記表面シートの両端部より、前記吸収体表面から離間した位置に配置されることを特徴とする。
【発明の効果】
【０００９】
請求項１に記載の発明によれば、吸収性物品におけるギャザーシートの先端部側は、吸収体の幅方向の端部から立設され、表面シートの両端部は、吸収体の幅方向の内側から立設されている。そして、立設されたギャザーシートの先端側に、立設された表面シートの両端部が固着されて、吸収体の表面と、ギャザーシートと、表面シートとによって囲まれる空間部が形成されている。
つまり、吸収性物品におけるギャザーシート部分に空間領域を有する空間部が形成されているので、吸収性物品の着用時に、表面シート上に軟便などが排泄された場合、その軟便などの体液が表面シートの孔を通じて空間部に流れ込み、空間部に一旦貯留された後、その体液成分が吸収性物品の吸収体に吸収されるようになっている。
よって、吸収性物品は軟便などの体液を空間部に貯留するようにして、体液成分を吸収体に吸収することができるので、この吸収性物品は、体液、特に軟便の漏れを低減することができる。
【００１０】
特に、多量の軟便が吸収性物品に排泄された際に、その軟便の勢いや重さなどによって、ギャザーシートが外側に向かって押し倒されるような作用力が加わった場合、ギャザーシートの先端側に固着されている表面シートが、ギャザーシートが立設した状態を維持するように保持することができるので、ギャザーシートは外側に倒れ難くなっており、軟便などの体液成分がギャザーシートを越えて漏れ難くなっている。
また、吸収体における空間部側の面には、凹部が形成されているので、吸収性物品の空間部に貯留される体液成分がその凹部に溜まりやすくなり、より体液成分を空間部に貯留することが可能になる。また、吸収体の凹部に溜まった体液成分をより効率的に吸収体に吸収することが可能になる。
従って、この吸収性物品は、体液漏れをより低減することができる吸収性物品であるといえる。
【００１１】
請求項２に記載の発明によれば、請求項１に記載の発明と同様の効果が得られることは無論のこと、ギャザーシートの空間部側の面には、不透液性フィルム材が備えられており、その不透液性フィルム材を介してギャザーシートが裏面シートに固着されているので、ギャザーシートにおける不透液性フィルム材と、不透液性の裏面シートとが貼り合わされて固着された部分から体液が染み出して漏れることを低減することができる。
よって、吸収性物品は、体液漏れをより低減することが可能になる。
【００１２】
請求項３に記載の発明によれば、請求項２に記載の発明と同様の効果が得られることは無論のこと、ギャザーシートにおける不透液性フィルム材の先端部は、表面シートの両端部より、吸収体表面から離間した位置に配置されているので、表面シート側に排泄された体液や、空間部に貯留される体液成分が、不透液性フィルム材の先端部を越えて、外側に染み出して漏れることを低減することができる。
よって、吸収性物品は、体液漏れをより低減することが可能になる。
【発明を実施するための最良の形態】
【００１４】
以下、本発明の実施の形態を、図面を参照しながら詳細に説明する。
本実施の形態では、吸収性物品として、特に、成人用の使い捨て紙おむつを一例として、以下で説明する。
【００１５】
図１は、本実施の形態における使い捨て紙おむつを展開した斜視図である。また、図２は、使い捨て紙おむつの装着時の状態に組立てた斜視図であり、図３は、平面展開図である。また、図４は、図３のIV−IV線における断面図である。
図１〜図４に示すように、吸収性物品である使い捨て紙おむつ（以下、紙おむつという。）１は、紙おむつ本体１０と、この紙おむつ本体１０を人体に装着するための止着部としてのサイドフラップ２０、２０と、サイドフラップ２０を係止させるための被着部３０とを備えている。
【００１６】
紙おむつ本体１０は、人体との接触面側に設けられる透液性の不織布等からなる表面シート１０ａと、装着時に外部側に設けられる不透液性の裏面シート１１と、表面シート１０ａと裏面シート１１との間に介装される吸収体１２と、裏面シート１１上の吸収体１２の幅方向両側部側に、紙おむつ本体１０の長手方向に沿って備えられるギャザーシート１３、１３と、により主に構成される。
ここで、内側とは、紙おむつ１０の幅方向の中央側をいい、外側とは、紙おむつ１０の幅方向の中央から離れる側をいう。
【００１７】
表面シート１０ａは、無数の貫通孔ｈが形成されている多孔性のシート材であり、その両端部がギャザーシート１３に固着され、幅方向の中央側は吸収体１２の表面に固着されている。
貫通孔ｈは、例えば、略楕円形状を呈する細孔であり、その楕円形状のサイズは、例えば、長径が３ｍｍ〜５ｍｍ、短径が２ｍｍ〜３ｍｍである。
【００１８】
裏面シート１１は、装着時に外部側に配されるバック不織布１１ａと、吸収体１２側に配されるバック不透液フィルム１１ｂとが積層されてなるシート部材であり、その幅方向の両端部はギャザーシート１３に固着されている。
【００１９】
紙おむつ本体１０は、人体の股部を腹側から背側にかけて覆うように、一方の端部に腹側部１５が形成され、他方の端部に背側部１６が形成されている。また、腹側部１５と背側部１６との間が股下部１７となっている。股下部１７の両縁部は、内側に凹むように形成され、装着された際に着用者の脚の周りを囲む脚開口部１８、１８となっている。
【００２０】
そして、紙おむつ本体１０の腹側部１５の端部１５１と、背側部１６の端部１６１とは、紙おむつ１が装着された際に、胴周りを形成するようになっている。
特に、胴周りを形成する部分として、腹側部１５において股下部１７よりも両外側に延出した腹側延出部１５２、１５２と、背側部１６において股下部１７よりも両外側に延出した背側延出部１６２、１６２と、が形成されている。
また、背側部１６の長手方向の縁部１６４の中央部には、糸ゴム等の弾性部材１６４ａが幅方向に沿って設けられ、この弾性部材１６４ａにより平面ギャザー１６５が形成され、着用者の胴周りにフィットするように伸縮自在な構成となっている。
【００２１】
また、背側部１６の背側延出部１６２、１６２の側縁部１６３、１６３には、それぞれ外側に突出したサイドフラップ２０、２０が設けられている。
また、腹側部１５の端部１５１における裏面シート１１には、被着部３０が設けられている。
【００２２】
サイドフラップ２０、２０は、例えば、不織布等で形成されており、背側部１６の延出部１６２、１６２の左右側方に延出するように備えられている。そして、左右それぞれのサイドフラップ２０、２０の自由端部側には、凸状に突出する第１ファスナ２１ａ、２１ｂと、第２ファスナ２２ａ、２２ｂとが設けられている。第１ファスナ２１ａ、２１ｂ、第２ファスナ２２ａ、２２ｂには、それぞれ面ファスナのオス材の係止要素であるファスニング部材としてのファスニングテープ２３が備えられている。
そして、この４つのファスニングテープ２３、２３、２３、２３が、腹側部１５の裏面シート１１上に備えられているメス材の係止要素である被着部３０に係止するようになっていて、背側端部側の第１ファスナ２１ａ、２１ｂは胴周りを締め付け、股下部１７側の第２ファスナ２２ａ、２２ｂは脚周りを締め付け可能な構造となっている。
【００２３】
吸収体１２は、紙おむつ１の使用時に、体液としての尿等の水様成分を吸収するものであり、綿やパルプ等の吸収性素材や、繊維或いはフィルム等のシート状基材と、高吸水性樹脂とを組み合わせて形成されており、例えば、吸収性素材と高吸水性樹脂とからなる吸収体本体１２０が、クレープ紙１２１によって覆われてなる部材である。
この吸収体１２は、腹側部１５から背側部１６に亘る長さに形成されている。また、吸収体１２の幅方向の長さは、股下部１７の形状に合わせて中央部１２ａが狭く、長手方向の腹側端部１２ｂ、背側端部１２ｃは、腹側部１５の腹側延出部１５２、背側部１６の背側延出部１６２の形状に合わせて、中央部１２ａよりも幅が広く形成されている。
【００２４】
ギャザーシート１３、１３は、股下部１７における吸収体１２の中央部１２ａを挟む幅方向両端側に、腹側部１５の長手方向の縁部１５４から背側部１６の長手方向の縁部１６４に亘ってそれぞれ備えられている。
このギャザーシート１３、１３の幅方向外側の部分は、図４に示すように、裏面シート１１の表面シート１０ａ側の面（バック不透液フィルム１１ｂ）に固着されている。そして、このギャザーシート１３の幅方向内側の部分は、表面シート１０ａや裏面シート１１に固定されておらず、立設された自由部１３１となっている。
ここで、ギャザーシート１３が裏面シート１１と固定される部分を固定部１３２といい、固定部１３２と自由部１３１との境目を基端部１３３とする。
【００２５】
また、後述する空間部１１１側であり、ギャザーシート１３における内側（下側）の面には、不透液性フィルム材１４が貼付されて備えられており、ギャザーシート１３の固定部１３２は不透液性フィルム材１４を介して裏面シート１１に固着されている。
特に、ギャザーシート１３の基端部１３３に相当する不透液性フィルム材１４は、吸収体１２の幅方向端部のクレープ紙１２１に接着されている。
【００２６】
また、ギャザーシート１３は、図４に示すように、自由部１３１側で折り返されており、折り返された部分が先端部としての自由端部１３４となっている。
そして、ギャザーシート１３の自由部１３１には、ギャザーシート１３の長手方向に沿って、複数の糸ゴム（弾性部材）１３ｃが略平行に備えられている。本実施の形態では、図４に示すように、自由端部１３４側で折り返されたギャザーシート１３の間に３本の糸ゴム１３ｃが設けられている。この糸ゴム１３ｃにより立体ギャザーシート１３は、着用者の体型に合わせて伸縮自在に変形し、着用者にフィットしやすい構造となっている。
また、自由端部１３４側で折り返されたギャザーシート１３の間に、不透液性フィルム材１４の先端部１４ａが挟み込まれて固着されている。
【００２７】
また、吸収体１２の中央側で固着されている表面シート１０ａの両端部１０ｂは、吸収体１２の幅方向の内側の所定位置から立設されてギャザーシート１３の先端側である自由部１３１に固着される。
なお、表面シート１０ａの両端部１０ｂは、ギャザーシート１３の不透液性フィルム材１４に対して接着されている。そして、表面シート１０ａの両端部１０ｂは、不透液性フィルム材１４の先端部１４ａよりその基端部１３３側である、吸収体１２に対して近い位置に固着されている。つまり、それぞれ立設された、不透液性フィルム材１４の先端部１４ａと、表面シート１０ａの両端部１０ｂとの位置関係は、不透液性フィルム材１４の先端部１４ａの方が吸収体１２の表面からより高い位置であって、吸収体１２の表面から離間した位置に配置されるようになっている。
【００２８】
そして、紙おむつ１には、吸収体１２と、ギャザーシート１３及び不透液性フィルム材１４と、表面シート１０ａとによって囲まれて、断面視略三角形状を呈する空間部１１１が形成されている。
具体的には、空間部１１１は、吸収体１２の表面のクレープ紙１２１と、吸収体１２の幅方向端部から自由端部１３４が立設されたギャザーシート１３における不透液性フィルム材１４と、吸収体１２の幅方向内側の所定位置からギャザーシート１３の先端側に向けて立設された表面シート１０ａとによって囲まれた断面視略三角形状を呈する空間領域である。
なお、吸収体１２における空間部１１１側の面には、吸収体１２の長手方向に沿って形成されている凹部１２ｄが備えられている。この凹部１２ｄは、吸収体１２の表面にエンボスを施すことなどによって形成することができる。
【００２９】
従って、例えば、紙おむつ１の着用時に、表面シート１０ａ上に軟便が排泄された場合、吸収体１２によって一度に吸収されなかった軟便など体液が、表面シート１０ａの貫通孔ｈを通じて空間部１１１に流れ込み、空間部１１１に一旦貯留された後、体液成分が吸収体１２に吸収されるようになっている。
そして、吸収体１２の表面に凹部１２ｄが形成されていることによって、その凹部１２ｄに軟便が溜まり易いので、空間部１１１において排泄された軟便を好適に貯留しつつ、体液成分を吸収体１２に吸収することができる。
また、空間部１１１における外側は、裏面シート１１のバック不透液フィルム１１ｂと、ギャザーシート１３の不透液性フィルム材１４とが固着されているので、その貼り合わせ部分から体液が染み出して漏れることが軽減されている。
また、不透液性フィルム材１４の先端部１４ａは、表面シート１０ａの両端部１０ｂよりも、吸収体１２の表面から高い位置に配置されているので、空間部１１１に貯留された体液が不透液性フィルム材１４を越えて染み出して漏れることが軽減されている。
特に、空間部１１１を形成する吸収体１２と、ギャザーシート１３及び不透液性フィルム材１４と、表面シート１０ａとによって、断面視略三角形状を呈する堤防様のギャザーを構成することができるので、紙おむつ１内に多量の軟便が排泄された際に、軟便の重さや勢いなどによってギャザーシート１３が外側に倒れてしまうことを防止することができ、それによって体液や軟便がギャザーシート１３から漏れ出てしまうことを低減することができる。具体的には、ギャザーシート１３が外側に向かって押し倒されるような作用力が加わった場合、ギャザーシート１３の先端側に固着されている表面シート１０ａが、ギャザーシート１３が立設した状態を維持するように保持することができるので、ギャザーシート１３は外側に倒れ難くなっており、体液漏れを低減することが可能になっている。
【００３０】
また、ギャザーシート１３の基端部１３３は、図１、図５に示すように、吸収体１２の腹側端部１２ｂ、背側端部１２ｃ上において、幅方向外側に向かって湾曲した凹部形状となっており、ギャザーシート１３の自由部１３１の幅方向の長さは、股下部１７の幅方向の長さよりも大きくなっている。これにより、図１、図３に示すように、ギャザーシート１３と表面シート１０ａとの間にポケット部１００、１００、１００、１００が、腹側部１５、背側部１６とにそれぞれ２つずつ、計４つ形成されている。従って、例えば、紙おむつ１の着用時に、不液透過性の立体ギャザーシート１３で遮断された体液が、不液透過性の立体ギャザーシート１３の長手方向に沿って移動すると、移動した体液は、腹側部１５或いは背側部１６のポケット部１００に到達して一旦貯留された後、徐々にポケット部１００の下方の吸収体１２に吸収されることとなって、横漏れ防止の効果を更に向上させることができる。また、ポケット部１００は、腹側延出部１５２及び背側延出部１６２の面積に対して、１０〜８０％の大きさに形成されている。ここで、上記範囲に形成されている理由は、１０％より小さい場合には、ポケット部１００における体液吸収の効果が小さくなるからであり、８０％より大きい場合には、腹側延出部１５２及び背側延出部１６２の横或いは後方から漏れてしまう可能性があるからである。
【００３１】
また、固定部１３２において、ギャザーシート１３、１３と裏面シート１１との間には、脚開口部１８、１８の両縁部から腹側部１５の腹側延出部１５２、１５２、及び背側部１６の背側延出部１６２、１６２にかけて、脚開口部１８、１８の両側縁部の湾曲形状に合わせて糸ゴム等の弾性部材１３ｄがそれぞれ設けられ、この弾性部材１３ｄにより平面ギャザー１３７、１３７が形成されている。
これにより、着用者の脚周りに伸縮自在にフィットし、横漏れを防止するようになっている。この平面ギャザー１３７、１３７の長さは、例えば、３００〜６００ｍｍとなっている。尚、本実施の形態では、図３、図４に示すように、弾性部材１３ｄとしての糸ゴムが、左右それぞれ３本ずつ備えられている。
【００３２】
また、図１、図３、図５に示すように、背側部１６において、不液透過性の不織布等からなるバックギャザーシート１９の幅方向の端部１９ａ、１９ｂが左右のギャザーシート１３、１３の間を掛け渡すように固着されている。そして、このバックギャザーシート１９の長手方向背側端部１９ｃが、裏面シート１１に固着され、縁部１６４において平面ギャザー１６５を形成している。
また、バックギャザーシート１９の長手方向腹側端部１９ｄは、固定されておらず、表面シート１０ａ上を一部覆う様に延出しており、その先端部分に糸ゴムが幅方向に沿って設けられ、伸縮可能に形成されている。そして、このバックギャザーシート１９と、表面シート１０ａとの間の隙間に、後ポケット部２００が形成されることとなって、後漏れを防止する機能を果たしている。
【００３３】
このように、本実施の形態による紙おむつ１によれば、吸収体１２によって一度に吸収されなかった体液が、ギャザーシート１３によって横漏れするのを阻止されるのに加え、ギャザーシート１３に沿って長手方向に移動することにより、ポケット部１００に到達して一旦貯留された後、徐々にポケット部１００の下方の吸収体１２に吸収されることとなって、横漏れ防止の効果が極めて高い。
【００３４】
また、紙おむつ１におけるギャザーシート１３部分には、吸収体１２と、ギャザーシート１３及び不透液性フィルム材１４と、表面シート１０ａとによって囲まれた、断面視略三角形状を呈する空間部１１１が形成されているので、表面シート１０ａを介して吸収体１２によって一度に吸収されなかった軟便を、その空間部１１１に一旦貯留するようにして軟便の体液成分を吸収体１２に吸収することができ、軟便などの体液漏れの防止効果が極めて高い。
特に、ギャザーシート１３が外側に向かって押し倒されるような作用力が加わった場合、ギャザーシート１３の先端側に固着されている表面シート１０ａが、ギャザーシート１３が立設した状態を維持するように保持することができるので、ギャザーシート１３は外側に倒れ難くなっており、体液漏れを低減することが可能になっている
よって、紙おむつ１は、体液、特に軟便の漏れを低減することができる。
【００３５】
また、紙おむつ１は、紙おむつ１の表面シート１０ａ上にインナーパッド（図示省略）がセットされて使用されるようになっていてもよい。
その場合、紙おむつ１の表面シート１０ａの幅方向中央側に面ファスナなどの係止部材によって固定されたインナーパッドによって体液の吸収が行われることとなる。そして、そのインナーパッドによって吸収し切れずに溢れた体液を、紙おむつ１、特に、紙おむつ１の幅方向外側に位置するギャザーシート１３側で吸収することとなる。このギャザーシート１３の近傍に空間部１１１が形成されているので、体液成分を好適に吸収することができる。
【００３６】
なお、本発明は上記実施形態に限られるものではない。
【００３７】
例えば、図６に示す、紙おむつ１ａに備えられる吸収体１２のように、吸収体本体１２０ａの幅方向の左右両端部分と中央部分とが分離、離間された形状となっている吸収体１２であってもよい。
この吸収体本体１２０ａをクレープ紙１２１により覆うことによって、その分離された部分におけるクレープ紙１２１が吸収体１２の厚み方向に窪んで凹部１２ｅが形成されるようになっている。
そして、紙おむつ１ａにおいて空間部１１１に一旦貯留される体液が、凹部１２ｅに溜まるようにして、吸収体１２における吸収体本体１２０ａの幅方向の左右両端部分と中央部分とにそれぞれ吸収されることにより、紙おむつ１ａは、体液を好適に吸収することが可能になっている。
なお、この吸収体本体１２０ａにおいて、幅方向の左右両端部分と中央部分とは、吸収体本体１２０ａの長手方向の全域に沿って分離されていなくてもよく、股下部１７に相当する部分が分離されて、腹側部１５や背側部１６に相当する部分では一体に繋がっている形状であってもよい。
【００３８】
また、図７に示す、紙おむつ１ｂのように、表面シート１０ａの両端部１０ｂは、自由端部１３４側で折り返されたギャザーシート１３に挟み込まれて固着されていることが好ましい。それによって、空間部１１１に貯留された体液が、表面シート１０ａと不透液性フィルム材１４との貼り合わせ部分から染み出し難くなる。
なお、表面シート１０ａの両端部１０ｂが、自由端部１３４側で折り返されたギャザーシート１３の上に接着され、表面シート１０ａと不透液性フィルム材１４とによって、ギャザーシート１３の端部を挟み込んでしまうと、表面シート１０ａと不透液性フィルム材１４との貼り合わせ部分から体液が染み出しやすくなってしまうとともに、表面シート１０ａの両端部１０ｂのエッヂが人体の肌に触れることによる不快感がもたらされてしまうことがあるので、そのような状態は好ましくない。
また、図７に示すように、表面シート１０ａは、吸収体１２の凹部１２ｄの内側の縁部から立設し、ギャザーシート１３における不透液性フィルム材１４は、吸収体１２の凹部１２ｄの外側の縁部から立設していることが好ましい。つまり、断面視略三角形状を呈する空間部１１１の三角形の底辺に相当する長さと、吸収体１２の凹部１２ｄの幅方向の長さが同一、或いはほぼ同一であることが好ましい。それによって、空間部１１１に貯留される体液が凹部１２ｄ内に良好に溜まりやすくなるので、体液を好適に吸収体１２に吸収させて漏れ難くすることができる。
なお、凹部１２ｄの窪みに表面シート１０ａや不透液性フィルム材１４が入り込んでしまうと、凹部１２ｄの容積が狭くなり減ってしまうので、そのような状態は好ましくない。
【００３９】
また、図８に示す、紙おむつ１ｃのように、不透液性フィルム材１４は、ギャザーシート１３の下面側（内面側）の全域に貼付されており、自由端部１３４側でギャザーシート１３とともに折り返されて、表面シート１０ａの両端部１０ｂを不透液性フィルム材１４が挟み込むように固着するようになっていてもよい。
これによって、空間部１１１に貯留された体液が、表面シート１０ａと不透液性フィルム材１４との貼り合わせ部分からより染み出し難くなる。
【００４０】
なお、以上の実施の形態においては、表面シート１０ａに形成される貫通孔ｈの形状を楕円形を例に挙げて説明したが、本発明はこれに限定されるものではなく、その形状は任意の形状であってよく、大きさも任意である。
【００４１】
また、以上の実施の形態においては、空間部１１１の断面視形状が、略三角形状である場合を例に挙げて説明したが、本発明はこれに限定されるものではなく、その断面視形状は台形状や、トンネル様の半円形状などであってもよい。
【００４２】
また、その他、具体的な細部構造等についても適宜に変更可能であることは勿論である。
【図面の簡単な説明】
【００４３】
【図１】本発明に係る紙おむつを示す展開斜視図である。
【図２】本発明に係る紙おむつの装着時における状態を示す斜視図である。
【図３】本発明に係る紙おむつを示す展開平面図である。
【図４】図３のIV−IV線における断面図である。
【図５】紙おむつの背側部の一部を断面視した拡大説明図である。
【図６】本発明の紙おむつにおける変形例を示す断面図である。
【図７】本発明の紙おむつにおける変形例を示す断面図である。
【図８】本発明の紙おむつにおける変形例を示す断面図である。
【符号の説明】
【００４４】
１、１ａ、１ｂ、１ｃ  紙おむつ（吸収性物品）
１０    紙おむつ本体
１０ａ  表面シート
１０ｂ  両端部
１１    裏面シート
１１ａ  バック不織布
１１ｂ  バック不透液フィルム
１２    吸収体
１２０、１２０ａ  吸収体本体
１２１  クレープ紙
１２ｄ、１２ｅ  凹部
１３    ギャザーシート
１３１  自由部
１３２  固定部
１３３  基端部
１３４  自由端部（先端部）
１４    不透液性フィルム材
１５    腹側部
１６    背側部
１７    股下部
２０    サイドフラップ
２３    ファスニングテープ
３０    被着部
１１１  空間部
ｈ      貫通孔
【図１】
0004833646.tif 000002
【図２】
0004833646.tif 000003
【図３】
0004833646.tif 000004
【図４】
0004833646.tif 000005
【図５】
0004833646.tif 000006
【図６】
0004833646.tif 000007
【図７】
0004833646.tif 000008
【図８】
0004833646.tif 000009